(57)【要約】      （修正有）【課題】文字等の記入部分の制約がなく、音の伝達効率も良好な、葉書等と録音再生ユニットを一体化した音発生カードを提供する。【解決手段】圧電素子３２を用いて音の録音及び再生を行う録音再生ユニット３０は、圧電素子３２、録音再生回路４４、薄型電池４６、５２、録音スイッチ５８、再生スイッチ６４により構成され、それぞれを切り抜き部２２Ａ〜２２Ｅに収容し、圧電素子３２用の放音孔がない表側シート１２と裏側シート１４を、台紙２０を挟むように、台紙２０の表裏に貼り合わせる。圧電素子３２を収容する部分には、外部と接続する空気路２４を設け、圧電素子３２の周囲の空間が密閉されて圧電素子３２の動きが阻害されないようにし、振動効率を高める。複数の薄型電池４６、５２を用い電源電圧を上げ、表側シート１２及び裏側シート１４に放音用の孔がなくても、十分な音量を得る。【選択図】図２
2016166909.tif 000002
【特許請求の範囲】
【請求項１】
圧電素子を用いて音の録音及び再生を行う録音再生ユニットを、台紙に形成された凹部に収容し、
前記圧電素子用の放音孔がない第１のシートと第２のシートを、前記台紙を挟むように、該台紙の表裏に貼り合わせたことを特徴とする音発生カード。
【請求項２】
前記台紙に、
前記録音再生ユニットの圧電素子部分を収容する凹部と外部とを接続する空気路を設けたことを特徴とする請求項１記載の音発生カード。
【請求項３】
前記録音再生ユニットが、
スピーカとマイクを兼ねる前記圧電素子と、
メモリと、
前記圧電素子からの音信号を前記メモリに記録するとともに、該メモリに記録された音信号を前記圧電素子から音として出力する録音再生回路と、
前記圧電素子及び録音再生回路に電力を供給する薄型電池と、
前記音の録音・再生を指示するための録音・再生スイッチと、
からなることを特徴とする請求項１又は２記載の音発生カード。
【請求項４】
前記薄型電池を複数設けたことを特徴とする請求項３記載の音発生カード。
【発明の詳細な説明】
【技術分野】
【０００１】
本発明は、葉書やポストカード等のカードに関し、更に具体的には音の録音再生機能を有する音発生カードに関するものである。
【背景技術】
【０００２】
従来、音声の録音再生ができる葉書等は、ＩＣタグなどを使用して外部装置と通信し、データや音声の記録・再生を行うものがあった。また、写真等を記録する媒体と、音声等を録音・再生する機能が備わった録画再生ユニットを一体とした技術として、例えば、下記特許文献１に記載の音声記録再生機能付き情報記録媒体がある。
【０００３】
前記特許文献１によれば、録音再生機能を有する電子回路、録音及び再生スイッチ、圧電素子による平面スピーカ／マイクロフォン等から成る音声モジュール及び薄型平板電池を保持するバネ状端子を非導電性の接着剤で紙又はプラスチック材の薄型台紙上に貼り付け、さらにこの一方の面に写真印画紙又は写真、文字、絵等を記録した情報記録媒体を、他面に紙、プラスチック材等の非導電体のシートをいずれも非導電性の接着剤で張り付けて一体化している。
【先行技術文献】
【特許文献】
【０００４】
【特許文献１】特開２０１１−１６４１６８号公報
【発明の概要】
【発明が解決しようとする課題】
【０００５】
しかしながら、前記特許文献１に記載の技術では、葉書やポストカードの録音再生ユニットのスピーカ／マイクロフォンに対応する位置に孔が設けられている（同文献第３図参照）。このため、葉書等に文字などを記入する際の妨げとなり、孔が形成された部分には記入することができなかった。また、前記孔が形成されるため、文字記入部分との関係から、スピーカ／マイクロフォンの配置が限定されてしまい、葉書等の中央部にスピーカ／マイクロフォンを配置して効率よく振動を伝えることも困難であった。
【０００６】
本発明は、以上のような点に着目したもので、文字等の記入部分の制約がなく、音の伝達の効率も良好な、葉書等と録音再生ユニットを一体化した音発生カードを提供することを、その目的とする。
【課題を解決するための手段】
【０００７】
本発明の音発生カードは、圧電素子を用いて音の録音及び再生を行う録音再生ユニットを、台紙に形成された凹部に収容し、前記圧電素子用の放音孔がない第１のシートと第２のシートを、前記台紙を挟むように、該台紙の表裏に貼り合わせたことを特徴とする。主要な形態の一つは、前記台紙に、前記録音再生ユニットの圧電素子部分を収容する凹部と外部とを接続する空気路を設けたことを特徴とする。
【０００８】
他の形態の一つは、前記録音再生ユニットが、スピーカとマイクを兼ねる前記圧電素子と、メモリと、前記圧電素子からの音信号を前記メモリに記録するとともに、該メモリに記録された音信号を前記圧電素子から音として出力する録音再生回路と、前記圧電素子及び録音再生回路に電力を供給する薄型電池と、前記音の録音・再生を指示するための録音・再生スイッチと、からなることを特徴とする。更に他の形態の一つは、前記薄型電池を複数設けたことを特徴とする。本発明の前記及び他の目的，特徴，利点は、以下の詳細な説明及び添付図面から明瞭になろう。
【発明の効果】
【０００９】
本発明によれば、圧電素子を用いて音の録音及び再生を行う録音再生ユニットを、台紙に形成された凹部に収容し、前記圧電素子用の放音孔がない第１のシートと第２のシートを、前記台紙に挟むように、該台紙の表裏に貼り合わせることとした。このため、葉書等と録音再生ユニットを一体化した音発生カードにおいて、文字等を記入する部分の制約がなくなり、配置の自由度も増して音の伝達効率も改善することが可能となる。
【図面の簡単な説明】
【００１０】
【図１】本発明の実施例１を示す図であり、(A)は葉書を表面から見た平面図，(B)は前記(A)を＃Ａ−＃Ａ線に沿って切断し矢印方向に見た断面図である。
【図２】前記実施例１の葉書の内部構造を示す斜視図である。
【発明を実施するための形態】
【００１１】
以下、本発明を実施するための最良の形態を、実施例に基づいて詳細に説明する。
【実施例１】
【００１２】
最初に、図１及び図２を参照しながら本発明の実施例１を説明する。本実施例は、本発明の音発生カードを葉書に適用した例である。図１(A)は本実施例の葉書を表面側から見た平面図，図１(B)は前記(A)を＃Ａ−＃Ａ線に沿って切断し矢印方向に見た断面図である。図２は、本実施例の葉書の内部構造を示す斜視図である。図１(B)及び図２に示すように、実施例の葉書１０は、表側シート１２と裏側シート１４を、台紙２０の表裏を挟むように貼り合わせた積層構造となっている。
【００１３】
前記表側シート１２には、例えば、図１(A)に示すように、郵便番号枠８０や、後述する録音スイッチ及び再生スイッチに対応する場所を示す表示８４，８６が印刷されている。前記裏側シート１４は、図示の例では、白紙となっているが、必要に応じて適宜文字や模様等を設けるようにしてもよい。これら表側シート１２，裏側シート１４は、例えば、紙などの非導電性のシートにより同一形状及び同一寸法に形成されており、後述する圧電素子用の放音孔は設けられていない。
【００１４】
前記台紙２０は、前記表側シート１２，裏側シート１４と略同一形状・略同一寸法に形成されたシートであって、紙やプラスチック等の非導電性の材料により形成されている。前記台紙２０には、図２に示すように、録音再生ユニット３０を収容する切り抜き部が形成されている。該切り抜き部は、前記録音再生ユニット３０を構成する各部品を収容する複数の切り抜き部２２Ａ〜２２Ｅにより構成されている。図示の例では、切り抜き部２２Ａの周囲には、外部と接続するように、複数の空気路２４が形成されている。該空気路２４は、前記台紙２０の厚さの半分程度の深さに形成されている。本実施例では、前記録音再生ユニット３０は、圧電素子３２と、メモリを内蔵した録音再生回路４４と、薄型電池４６，５２と、録音スイッチ５８と、再生スイッチ６４により構成されている。前記切り抜き部分２２Ａ〜２２Ｅは、これら各部を収容可能な形状及び寸法に形成されている。
【００１５】
前記圧電素子３２は、図１(B)に示すように、金属板３４と圧電体３６により構成されおり、圧電体３６の表面には図示しない電極層が設けられている。前記圧電素子３２は、スピーカとマイクを兼ねるものである。前記録音再生回路４４は、メモリを内蔵しており、前記圧電素子３２からの音信号を前記メモリに記録するとともに、該メモリに記録された音信号を前記圧電素子から音として出力するための回路である。前記薄型電池４６，５２は、前記圧電素子３２及び録音再生回路４４に電力を供給するものであって、本実施例では、２つの薄型電池４６，５２が用いられている。前記録音スイッチ５８は、前記圧電素子３２からの音声信号をメモリに記録する時に用いられ、前記再生スイッチ６４は、前記メモリに記録された音声信号を前記圧電素子３２から音として出力する時に用いられるものである。本実施例では、前記録音スイッチ５８及び再生スイッチ６４として、薄型のプッシュスイッチを用いている。
【００１６】
前記圧電素子３２の金属板３４及び電極層は、それぞれ導体４０，４２によって前記録音再生回路４４に接続されている。前記薄型電池４６，５２は、導体５５により直列に接続されている。そして、一方の薄型電池４６は、端子４８及び導体５０を介して前記録音再生回路４４に接続され、他方の薄型電池５２は、端子５４及び導体５６を介して前記録音再生回路４４に接続されている。本実施例では、前記端子４８，５４は、前記薄型電池４６，５２に、半田付け等により直に接続されている。また、前記録音スイッチ５８は、導体６０により前記録音再生回路４４に接続されるとともに、導体６２によって、前記導体５０と録音再生回路４４の接続部にも接続されている。前記再生スイッチ６４は、導体６６により前記録音再生回路４４に接続されるとともに、導体６８によって、前記導体５０，前記導体６２と前記録音再生回路４４に接続されている。
【００１７】
前記表側シート１２に、前記台紙２０を、非導電性の接着剤等により貼り合わせると、図２に示す状態となり、前記切り抜き部２２Ａ〜２２Ｅに相当する部分が、それぞれ、前記圧電素子３２，録音再生回路４４，薄型電池４６及び５２，録音スイッチ５８，再生スイッチ６４を収容する部分となる。これら各部を、前記表側シート１２に、図示しない非導電性接着剤等によって貼り付けるか、あるいは、非導電性のテープ７０等によって取り付ける。または、接着剤とテープ７０を併用してもよい。そして、前記台紙２０に、図示しない非導電性接着剤等によって、裏側シート１４を貼り付けることで、葉書１０が完成する。
【００１８】
前記葉書１０は、前記表側シート１２及び裏側シート１４のいずれにも、前記圧電素子３２用の放音孔は設けられていないため、文字等を書く位置の制限がない。また、前記表側シート１２，裏側シート１４に孔を設ける必要がないため、前記圧電素子３２の配置の自由度が高く、図２に示すように、圧電素子３２を幅方向の中央付近に設けることにより、振動の伝達が均一になり、音の伝達効率が向上する。なお、本発明では、２つの薄型電池４６，５２を用いることで電源電圧を高くし、スピーカ出力を上げることで、表側シート１２及び裏側シート１４に放音用の孔がなくても、十分な音量を得ることが可能となっている。これに加え、本実施例では、圧電素子３２の周囲の空間を外部と接続する空気路２４を設けることで、圧電素子３２の周囲の空間が密閉されることによる圧電素子３２の動きの阻害を防止できるため、圧電素子３２の振動効率を高めることができる。
【００１９】
このように、実施例１によれば、次のような効果がある。
(1)圧電素子３２を用いて音の録音及び再生を行う録音再生ユニット３０を、台紙２０に形成された切り抜き部２２Ａ〜２２Ｅに収容し、前記圧電素子用の放音孔がない表側シート１２と裏側シート１４を、前記台紙２０を挟むように、該台紙２０の表裏に貼り合わせることとした。このため、録音再生ユニットと一体化した葉書１０において、文字等を記入する部分の制約がなくなり、圧電素子３２を中央付近に配置することで音の伝達効率も改善することが可能となる。
(2)複数の薄型電池４６，５２を用いることで電源電圧を高くし、スピーカ出力を上げることとしたので、表側シート１２及び裏側シート１４に放音用の孔がなくても、十分な音量が得られる。
(3)圧電素子３２の周囲の空間を外部と接続する空気路２４を設けることで、圧電素子３２の周囲の空間が密閉されることによる圧電素子３２の動きの阻害を防止できるため、圧電素子３２の振動効率を高めることができる
(4)前記録音スイッチ５８及び再生スイッチ６４として、薄型のプッシュスイッチを用いることとしたので、台紙４０を薄くし、葉書１０の全体を薄くすることができる。
【００２０】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法，材質は一例であり、必要に応じて適宜変更してよい。
(2)前記実施例では、複数の薄型電池４６，５２を設けることで、出力電圧を上げることとしたが、これも一例であり、電圧の高い電池を使用するようにしてもよい。あるいは、電圧の高い電池を複数使用するようにしてもよい。
(3)前記実施例で示した録音再生ユニット２０を構成する各部の取付手法も一例であり、同様の効果を奏する範囲内で適宜変更可能である。例えば、前記実施例では、前記薄型電池４６，５２と端子４８，５４を半田付けすることとしたが、これも一例であり、圧着してもよい。
(4)前記実施例では、台紙２０に設けた切り抜き部分を録音再生ユニット２０を収容する凹部としたが、これも一例であり、完全に台紙２０を切り抜かず、ポケット状に形成した凹部であってもよい。
【００２１】
(5)前記実施例で示した空気路２４も一例であり、該空気路２４は必要に応じて設ければよい。また、該空気路２４を設けた場合には、必ずしも上記(2)で示した複数の薄型電池の使用や、電圧の高い電池の使用によって出力電圧を上げる必要はない。
(6)前記実施例では、音声（メッセージなど）の録音・再生を行うこととしたが、これも一例であり、音楽等の録音・再生であってもよいし、その組み合わせであってもよい。また、予めメモリに音を記憶しておき、再生のみ行うことを妨げるものではない。録音する人と再生する人は、異なる人であってもよいし同一人であってもよい。
(7)前記録音再生ユニット３０にＬＥＤを設けて、再生時に光るようにしてもよい。光は、シート１２，１４を透過してもよいし、空気路２４から外に漏れるようにしてもよい。
(8)前記実施例では、葉書１０に本発明を適用することとしたが、これも一例であり、その他のカード類全般に本発明は適用可能である。例えば、表側シート１２を写真とするとともに、裏側シート１４の一部にミシン目を入れて脚部を引き出すことで、カードを立てられるようにしてもよい。
【産業上の利用可能性】
【００２２】
本発明によれば、圧電素子を用いて音の録音及び再生を行う録音再生ユニットを、台紙に形成された凹部に収容し、前記圧電素子用の放音孔がない第１のシートと第２のシートを、前記台紙に挟むように、該台紙の表裏に貼り合わせることとした。このため、文字等を記入する部分の制約がなくなり、音の伝達効率も改善できるため、葉書等と録音再生ユニットを一体化した音発生カードの用途に好適である。
【符号の説明】
【００２３】
１０：葉書
１２：表側シート
１４：裏側シート
２０：台紙
２２Ａ〜２２Ｅ：切り抜き部
２４：空気路
３０：録音再生ユニット
３２：圧電素子
３４：金属板
３６：圧電体層
４０，４２，５０，５６，６０，６２，６６，６８：導体
４４：録音再生回路
４６，５２：薄型電池
４８，５４：端子
５８：録音スイッチ
６４：再生スイッチ
７０：テープ
【図１】
2016166909.tif 000003
【図２】
2016166909.tif 000004